(57)【要約】【課題】 電子機器を接続することにより電子機器の機能を拡張するための機能拡張装置及び電子機器に関し、有効に活用できる機能拡張装置及び電子機器を提供することを目的とする。【解決手段】 ノートパソコン１０１に着脱可能なコンパクトベイユニット１０４を装着し、コンパクトベイユニット１０４に着脱可能でノートパソコン１０１の機能を拡張するベイオプション２２１を装着して、ノートパソコン１０１の拡張する情報処理システムであり、コンパクトベイユニット１０４とノートパソコン１０１、及び、コンパクトベイユニット１０４とベイオプション２２１とをアンドッキング要求ボタン２１３の操作及びアンドッキングＬＥＤ２１４の点灯により離脱を使用者に認識可能とし、離脱可能とする。【選択図】  図１７
2005259171.tif 000002
【特許請求の範囲】
【請求項１】
電子機器と着脱自在に接続され、該電子機器の機能を拡張する機能拡張装置であって、
前記電子機器の機能を拡張する部品ユニットを着脱可能に収納する収納部を備え、
動作中の電子機器が接続された状態で前記部品ユニットを前記収納部と着脱可能な構成としたことを特徴とする機能拡張装置。
【発明の詳細な説明】
【技術分野】
【０００１】
本発明は機能拡張装置に係り、特に、電子機器を接続することにより電子機器の機能を拡張するための機能拡張装置に関する。
【背景技術】
【０００２】
携帯可能な電子機器（いわゆる、ノートパソコン）の付属装置として携帯型電子機器の機能を拡張する携帯型電子機器用機能拡張装置（いわゆる、機能ステーション）が入手できる。この携帯型電子機器用機能拡張装置は、情報記憶媒体装置を内蔵して、携帯型電子機器には無い機能を備えているものであり、携帯型電子機器をその機能を拡張して使用する場合に使用されるものである。携帯型電子機器用機能拡張装置は、携帯型電子機器についてみると、携帯型電子機器自体の機能を限定して、携帯型電子機器自体を薄型にして携帯し易くする役割も有している。よって、携帯型電子機器においては、機能拡張装置は必須となってきている。
【０００３】
また、近年、情報記憶媒体が、従来のフロッピー（登録商標）ディスク、ＣＤ−ＲＯＭの他に、光磁気ディスク、高密度記録フロッピー（登録商標）ディスク（ＬＳ−１２０）、ディジタルビデオディスク等が存在しており、多様化してきている。よって、携帯型電子機器用機能拡張装置は、近年の情報記憶媒体の多様化に対応した構成であることが望ましい。
【０００４】
また、携帯型電子機器用機能拡張装置は、携帯が容易なように小型であることが望ましい。即ち、携帯型電子機器用機能拡張装置は、機能の拡張性が良いこと、及び小型であることが望ましい。
【０００５】
図１は従来の電子機器システムの一例の概略構成図を示す。従来のこの種の電子機器システム１は、ノートパソコン１０の機能を必要最小源とし、ノートパソコン１０を機能拡張装置である拡張ステーション２０に接続することにより、ノートパソコン１０の機能を拡張するように構成されている。
【０００６】
拡張ステーション２０は、ノートパソコン１０の底面側に取り付けられ、コネクタ２１がノートパソコン１０のコネクタ１１と接続される。拡張ステーション２０には、フロッピー（登録商標）ディスク３０に情報を記録／再生するフロッピー（登録商標）ディスクドライブ２２、ＣＤ−ＲＯＭ４０を再生するＣＤ−ＲＯＭドライブ２３等の拡張機能が組み込まれている。ノートパソコン１０には、消費電力の大きいフロッピー（登録商標）ディスクドライブ２２、ＣＤ−ＲＯＭドライブ２３等は設けられておらず、ノートパソコン１０を拡張ステーション２０に接続することにより、フロッピー（登録商標）ディスクドライブ及びＣＤ−ＲＯＭドライブなどの機能が拡張される。
【発明の開示】
【発明が解決しようとする課題】
【０００７】
しかるに、従来のこの種の電子機器システム１では、機能拡張装置２０は、フロッピー（登録商標）ディスクドライブ２２とＣＤ−ＲＯＭドライブ２３とが固定で組み込まれている構成であるため、使用することができる情報記憶媒体が、フロッピー（登録商標）ディスクとＣＤ−ＲＯＭとに限られ、現在入手できる他の情報記憶媒体、例えば、光磁気ディスク、高容量フロッピー（登録商標）ディスク（ＬＳ−１２０）、ディジタルビデオディスク等を使用することが出来なかった。即ち、機能拡張装置２０は、拡張性が限定されたものとなり、使い勝手がよくなかった。
【０００８】
また、従来は、機能拡張装置２０は、保管しておくものであり、携帯することは考えていなかった。よって、図１に示すように、機能拡張装置２０は携帯型電子機器１０と同じ大きさであり、機能拡張装置２０をノートパソコン１０と併せて携帯しようとすると、携帯がしにくかった。本発明は上記の点に鑑みてなされたもので、コンパクトで、かつ、機能拡張手段を活性挿抜可能とし、使い勝手を良くした機能拡張装置を提供することを目的とする。
【課題を解決するための手段】
【０００９】
本発明の機能拡張装置は、電子機器と着脱自在に接続され、該電子機器の機能を拡張する装置であって、前記電子機器の機能を拡張する部品ユニットを着脱可能に収納する収納部を備え、動作中の電子機器が接続された状態で前記部品ユニットを前記収納部と着脱可能な構成としたことを特徴とする。
【００１０】
本発明によれば、動作中の電子機器が接続された状態で部品ユニットを収納部と着脱可能な構成することにより、部品ユニットを交換するときに電子機器の動作を停止させることなく、部品ユニットの交換が行え容易に電子機器の機能を拡張できる。また、本発明によれば、動作中の電子機器と着脱可能とすることにより、電子機器の携帯性を向上させることができる。
【発明の効果】
【００１１】
本発明によれば、動作中の電子機器が接続された状態で部品ユニットを収納部と着脱可能な構成することにより、部品ユニットを交換するときに電子機器の動作を停止させることなく、部品ユニットの交換が行え容易に電子機器の機能を拡張できる。また、本発明によれば、動作中の電子機器と着脱可能とすることにより、電子機器の携帯性を向上させることができるなどの特長を有する
【発明を実施するための最良の形態】
【００１２】
図２は本発明の電子機器システムの一実施例の構成図を示す。
【００１３】
本実施例の電子機器システム１００は、主に、ノート型パーソナルコンピュータ（以下単にノートパソコンとする）１０１、拡張ステーション１０２、第１及び第２の蓄電池に相当するバッテリパック１０３、機能拡張装置に相当するコンパクトベイユニット１０４、外づけフロッピー（登録商標）ディスクドライブユニット１０５から構成される。また、電子機器システム１００には、カラーＣＲＴディスプレイ１０６、プリンタ１０７、テンキーボード１０８、マウス１０９が接続可能であるとともに、ＳＣＳＩカード１１０、ＩＣメモリカード１１１、ＬＡＮカード１１２等のＰＣＭＣＩＡ規格に準拠したＰＣカードが装着可能とされている。
【００１４】
ここで、まず、ノートパソコン１０１について詳細に説明する。図３は本発明の電子機器システムの一実施例のノートパソコンの斜視図、図４は本発明の電子機器システムの一実施例のノートパソコンの左右側面図、図５は本発明の電子機器システムの一実施例のノートパソコンの背面及び底面の構成図を示す。図６（Ａ）はノートパソコン１０１の左側面図、図５（Ｂ）はノートパソコン１０１の右側面図、図６（Ａ）はノートパソコン１０１の背面図、図６（Ｂ）はノートパソコン１０１の底面図を示す。
【００１５】
ノートパソコン１０１は、ノートパソコン本体部１１３とディスプレイ部１１４とから構成される。ノートパソコン本体部１１３とディスプレイ部１１４とは矢印Ａ方向に回動可能とされている。ディスプレイ部１１４は、携帯時には矢印Ａ１方向に回動され、図４（Ｂ）に示すようにノートパソコン本体部１１３に突き合わされることにより、全体形状が板状となり携帯性が高まる。
【００１６】
また、ディスプレイ部１１４は、使用時には矢印Ａ２方向に回動される。ディスプレイ部１１４を矢印Ａ２方向に回動させることにより、図４（Ａ）に示すようにノートパソコン本体部１１３及びディスプレイ部１１４の内面が表出し、使用可能な状態となる。図４（Ａ）に示す使用可能状態では、ノートパソコン本体部１１３の上面側にキーボード１１５及びポインティングデバイス１１６が表出し、ポインタＰの移動、コマンドやデータの入力が可能となる。また、ノートパソコン本体部１１３の背面側端部上面には、状態表示部１１７が設けられている。状態表示部１１７は、ノートパソコン１０１の動作状態を表示する。
【００１７】
ノートパソコン本体部１１３の左側面には図４（Ａ）に示すように電源スイッチ１１８が設けられている。ノートパソコン１０１は、電源スイッチ１１８を操作することにより動作がオン・オフする。また、図４（Ｂ）に示すようにノートパソコン本体１１３の右側面には音量ボリューム１１９、ヘッドフォンジャック１２０、マイクジャック１２１、ラインインジャック１２２、盗難防止用ロック１２３、モジュラーコネクタ１２４、ＰＣカードロック１２５、ＰＣカードスロット１２６、ＰＣカード取り出しボタン１２７が設けられている。
【００１８】
音量ボリューム１１９を操作することにより音量が調整される。ヘッドフォンジャック１２０にはヘッドフォンが接続される。マイクジャック１２１にはマイクロフォンが接続される。ラインインジャック１２２には音声入力コネクタが接続され、外部機器から音声信号が入力される。
【００１９】
盗難防止用ロック１２３には盗難防止用ケーブルが接続される。モジュラーコネクタ１２４には電話回線接続用ジャックが接続される。ＰＣカードスロット１２６にはＳＣＳＩカード１１０、ＩＣメモリカード１１１、ＬＡＮカード１１２等のＰＣカードが装着される。ＰＣカードロック１２７はＰＣカードスロット１２６に装着されたＰＣカードをロックし、ＰＣカードのＰＣカードスロット１２６からの脱落を防止する。
【００２０】
ノートパソコン本体部１１３の背面には、図５（Ａ）に示すように赤外線通信ポート１２８、ＵＳＢコネクタ１２９、拡張キーボード／マウスコネクタ１３０、フロッピー（登録商標）ディスクユニットコネクタ１３１、シリアルコネクタ１３２、パラレルインタフェースコネクタ１３３、ＣＲＴインタフェースコネクタ１３４、ＤＣ−ＩＮコネクタ１３５、拡張コネクタカバー１３６が設けられる。
【００２１】
赤外線通信ポート１２８は、赤外線通信を行うためのインタフェースである。ＵＳＢコネクタ１２９は、ＵＳＢ（Universal Serial Bus）規格の周辺機器を接続するためのコネクタである。拡張キーボード／マウスコネクタ１３０は、テンキーボード１０８、マウス１０９を接続するためのコネクタである。
【００２２】
フロッピー（登録商標）ディスクユニットコネクタ１３１は、フロッピー（登録商標）ディスクドライブユニット１０５を接続するためのコネクタである。シリアルコネクタ１３２は、ＲＳ２３２Ｃ規格のインタフェースを持つ機器を接続するためのコネクタである。パラレルインタフェースコネクタ１３３は、プリンタ１０７等を接続するためのコネクタである。
【００２３】
ＣＲＴコネクタ１３４は、カラーＣＲＴディスプレイ１０６を接続するためのコネクタである。ＤＣ−ＩＮコネクタ１３５は、ＡＣアダプタを接続するためのコネクタである。拡張コネクタカバー１３６は、携帯時など上記各種コネクタ類が未使用のときに上記コネクタ類をカバーする。
【００２４】
また、ノートパソコン１０１の底面には図５（Ｂ）に示すように 拡張ユニット接続コネクタ１３７、拡張ＲＡＭモジュールスロット１３８、内蔵バッテリパックロック１３９、解除ボタン１４０、内蔵バッテリパックスロット１４１、内蔵ハードディスクスロット１４２が設けられる。拡張ユニット接続コネクタ１３７は、拡張ステーション１０２、コンパクトベイユニット１０４を接続するためのコネクタである。
【００２５】
拡張ＲＡＭモジュールスロット１３８は、拡張ＲＡＭモジュールをセットするためのスロットである。内蔵バッテリパックロック１３９は、内蔵バッテリパック１０３を内蔵バッテリパックスロット１４１に挿入したときに、内蔵バッテリパック１０３を内蔵バッテリパックスロット１４１にロックする。
【００２６】
解除ボタン１４０は、内蔵バッテリパックロック１３９を解除するためのボタンである。内蔵バッテリパックスロット１４１には、内蔵バッテリパック１０３が装着される。内蔵ハードディスクスロット１４２には、内蔵ハードディスクユニット１４３が装着される。
【００２７】
また、ディスプレイ部１１５の内面側には、液晶ディスプレイ１４４が表出し、画面が表示される。なお、ノートパソコン本体１１３内部には、ＣＰＵ、ＲＡＭ、ＲＯＭ、インタフェース回路、通信回路などが内蔵され、情報処理を可能とする。次に、拡張ステーション１０２について説明する。
【００２８】
図６は本発明の電子機器システムの一実施例の拡張ステーションの正面側からの斜視図、図７は本発明の電子機器システムの一実施例の拡張ステーションの背面側からの斜視図を示す。本実施例の拡張ステーション１０２の上面、前面、右側面には、図６に示すように内蔵バッテリパックスロット１４５、内蔵バッテリパックロック１４６、接続コネクタ１４７、接続ロック１４８、ＣＤ−ＲＯＭドライブ１４９、イジェクトボタン１５０、取り外しボタン１５１、取り外し許可ランプ１５２、フロッピー（登録商標）ディスクドライブ１５３、フロッピー（登録商標）ディスク取り出しボタン１５４、ＰＣカードスロット１５５、取り外しレバー１５６が設けられている。
【００２９】
内蔵バッテリパックスロット１４５には、バッテリパック１０３が装着される。内蔵バッテリパックロック１４６は、内蔵バッテリパックスロット１４５にバッテリパック１０３をロックする。接続コネクタ１４７は、ノートパソコン本体１１３の底面に設けられた拡張ユニット接続コネクタ１３７と接続され、ノートパソコン本体１１３と拡張ステーション１０２との接続を行う。接続ロック１４８は、ノートパソコン本体１１３の底面に設けられた係合部と係合して、ノートパソコン本体１１３と拡張ステーション１０２とを機械的に結合する。
【００３０】
ＣＤ−ＲＯＭドライブ１４９には、ＣＤ−ＲＯＭ１５７が装着され、ＣＤ−ＲＯＭ１５７に記録された情報を読み出す。イジェクトボタン１５０は、ＣＤ−ＲＯＭドライブ１４９にＣＤ−ＲＯＭ１５７のイジェクトを指示する。取り外しボタン１５１は、ノートパソコン１０１の拡張ステーション１０２からの取り外しを指示する。取り外し許可ランプ１５２は、ＬＥＤなどからなり、ノートパソコン１０１が拡張ステーション１０２から取り外せる状態となっときに点灯する。
【００３１】
フロッピー（登録商標）ディスクドライブ１５３は、フロッピー（登録商標）ディスク１５８が装着され、フロッピー（登録商標）ディスク１５８に情報の記録再生を行う。フロッピー（登録商標）ディスク取り出しボタン１５４は、フロッピー（登録商標）ディスク１５８をフロッピー（登録商標）ディスクドライブ１５３から取り出すときに操作される。ＰＣカードスロット１５５は、ＰＣカード１５９をセットするためのスロットである。取り外しレバー１５６は、ノートパソコン１０１を拡張ステーション１０２から取り外すときに操作され、ノートパソコン１０１と拡張ステーション１０２との機械的結合を解除する。
【００３２】
また、拡張ステーション１０２の背面、左面には、図７に示すように盗難防止用ロック１６０、セキュリティーロック１６１、ＬＡＮコネクタ１６２、ＵＳＢコネクタ１６３、拡張キーボードコネクタ１６４、マウスコネクタ１６５、シリアルコネクタ１６６、音声出力端子１６７、映像出力端子１６８、パラレルコネクタ１６９、ＣＲＴコネクタ１７０、ＤＣ−ＩＮコネクタ１７１、通気孔１７２を有する。
【００３３】
盗難防止用ロック１６０には、盗難防止用ケーブルが接続される。セキュリティーロック１６１は、盗難防止用ロック１６０に盗難防止用ケーブルを固定したときに、盗難防止用ロック１６０と盗難防止用ケーブルとの接続に鍵をかけるときに用いられる。ＬＡＮコネクタ１６２には、ＬＡＮケーブルが接続される。ＵＳＢコネクタ１６３には、ＵＳＢ規格の周辺機器が接続される。
【００３４】
拡張キーボードコネクタ１６４は、テンキーボード１０８を接続するためのコネクタである。マウスコネクタ１６５は、マウス１０９を接続するためのコネクタである。シリアルコネクタ１６６は、ＲＳ−２３２Ｃ規格のインタフェースを持つ機器を接続するためのコネクタである。
【００３５】
音声出力端子１６７は、音声をステレオで出力するためのコネクタで、スピーカ等が接続される。映像出力端子１６８は、映像信号を出力するためのコネクタで、ＴＶなどが接続される。パラレルコネクタ１６９は、パラレルポートを有する周辺機器が接続されるコネクタで、プリンタなどが接続される。
【００３６】
ＣＲＴコネクタ１７０は、ＣＲＴディスプレイ１０６を接続するためのコネクタである。ＤＣ−ＩＮコネクタ１７１は、外部から電源を供給するＡＣアダプタを接続するためのコネクタである。通気孔１７２は、拡張ステーション１０２の内部で発生した熱を逃がすための孔である。
【００３７】
本実施例の拡張ステーション１０２では、ＡＣアダプタにより外部から駆動電源が供給されるとともに、内蔵バッテリパックスロット１４５にバッテリパック１０３を装着することによりバッテリパック１０３の電源により駆動することができる。また、ＡＣアダプタにより外部から供給された電源により内蔵バッテリパックスロット１４５に装着されたバッテリパック１０３を充電することも可能である。
【００３８】
次に、コンパクトベイユニット１０４について説明する。図８は本発明の電子機器システムの一実施例のコンパクトベイユニットの上面斜視図、図９は本発明の電子機器システムの一実施例のコンパクトベイユニットの底面斜視図、図１０は本発明の電子機器システムの一実施例のコンパクトベイユニットの側面図を示す。
【００３９】
コンパクトベイユニット１０４は、幅方向の寸法Ａ１がノートパソコン１０１の幅方向の寸法Ａ２と略等しく、奥行き方向の寸法Ｂ１が、ノートパソコン４０の奥行き方向の寸法Ｂ２の約半分であり、厚さ方向の寸法Ｃ１が、ノートパソコン１０１の厚さ方向の寸法Ｃ２と略等しく、コンパクトに形成されている。コンパクトベイユニット１０４は、ノートパソコン１０１の約半分の大きさであり、長方形で板状の外形を有し、携帯を容易にしている。
【００４０】
コンパクトベイユニット１０４は、主に、拡張ベイ２０１、バッテリスロット２０２、接続コネクタ２０３、結合爪部２０４を有する。拡張ベイ２０１は、コンパクトベイユニット１０４の側面に開口部２０５を有し、開口部２０５からフロッピー（登録商標）ディスクドライブユニットやＣＤ−ＲＯＭドライブユニットなどのベイオプションが装着され、ノートパソコン１０１の機能の拡張を行う。バッテリスロット２０２は、コンパクトベイユニット１０４の上面側に形成され、バッテリパック１０３が装着される。
【００４１】
バッテリスロット２０２内には、バッテリパック１０３との電気的接続を行うコネクタ２０６、バッテリパック１０３を固定する係合部２０７が形成される。係合部２０７は、操作レバー２０８を操作することにより係合部２０７のバッテリパック１０３との係合を解除する。接続コネクタ２０３は、コンパクトベイユニット１０４の上面側のノートパソコン１０１の接続コネクタ１３７に対向する位置に配置され、ノートパソコン１０１とコンパクトベイユニット１０４との結合時に接続コネクタ１３７と接続される。結合爪部２０４は、コンパクトベイユニット１０４の上面に配置され、図５（Ｂ）に示すノートパソコン１０１の底面に形成された結合部２０９に結合して、ノートパソコン１０１とコンパクベイユニット１０４との結合を行う。
【００４２】
係合爪部２０４は、コンパクトベイユニット１０４の底面に設けられた操作ボタン２１０を操作することにより揺動し、ノートパソコン１０１の底面に形成された結合部２０９との結合が解除される。操作ボタン２１０は、コンパクトベイユニット１０４をノートパソコン１０１から離脱させるときに操作される。また、操作ボタン２１０は、ロックレバー２１１の操作によりロック可能とされており、コンパクトベイユニット１０４をノートパソコン１０１に結合したときに、不用意に操作ボタン２１０が操作され、ノートパソコン１０１からコンパクトベイユニット１０４が脱落することを防止する。
【００４３】
また、コンパクトベイユニット１０４の底面には脚部２１２が設けられており、脚部２１２を立てることにより、ノートパソコン１０１の操作面を傾斜させることができる。更に、コンパクトベイユニット１０４の側面には、コンパクトベイユニット１０４をノートパソコン１０１から離脱させるときに操作するアンドッキング要求ボタン２１３、及びアンドッキング状態であることを認識させるアンドッキングＬＥＤ２１４が設けられている。
【００４４】
次にコンパクトベイユニット１０４に挿入させるベイオプションについて説明する。ベイオプションとしては例えばフロッピー（登録商標）ディスクドライブユニットやＣＤ−ＲＯＭドライブユニットがある。図１１は本発明の電子機器システムの一実施例のフロッピー（登録商標）ディスクドライブユニットの斜視図を示す。
【００４５】
フロッピー（登録商標）ディスクドライブユニット２１５は、矢印Ｘ１方向端部をコンパクトドライブユニット１０４の開口部２０５から挿入され、拡張ベイ２０１内に挿入される。フロッピー（登録商標）ディスクドライブユニット２１５は、コンパクトドライブユニット１０４の拡張ベイ２０１に挿入された状態で、矢印Ｘ１方向端部に設けられた接続部２１６が図８に示すようにコンパクトベイユニット２１５の拡張ベイ２０１の矢印Ｘ１方向端部に接続部２１６に対向して設けられたコネクタ２１７に接続される。
【００４６】
また、フロッピー（登録商標）ディスクドライブユニット２１５は、コンパクトドライブユニット１０４の拡張ベイ２０１に挿入された状態で、フロッピー（登録商標）ディスク挿入部２１７がコンパクトベイユニット１０４の開口部２０５の側面に位置し、フロッピー（登録商標）ディスクカートリッジの装着脱が可能となる。図１２は本発明の電子機器システムの一実施例のＣＤ−ＲＯＭドライブユニットの斜視図を示す。
【００４７】
ＣＤ−ＲＯＭドライブユニット２１８は、矢印Ｘ１方向端部がコンパクトドライブユニット１０４の開口部２０５から挿入され、拡張ベイ２０１内の挿入される。ＣＤ−ＲＯＭドライブユニット２１８は、コンパクトドライブユニット１０４の拡張ベイ２０１に挿入された状態で、矢印Ｘ１方向端部に設けられた接続部２１９が図８に示すようにコンパクトベイユニット２１５の拡張ベイ２０１の矢印Ｘ１方向端部に接続部２１６に対向して設けられたコネクタ２１７に接続される。
【００４８】
また、ＣＤ−ＲＯＭドライブユニット２１８は、コンパクトドライブユニット１０４の拡張ベイ２０１に挿入された状態で、ＣＤ−ＲＯＭディスク挿入部２２０がコンパクトベイユニット１０４の開口部２０５の側面に位置し、ＣＤ−ＲＯＭディスクの装着脱が可能となる。次に、バッテリパック１０３について説明する。
【００４９】
図１３は本発明の電子機器システムの一実施例のバッテリパックの斜視図を示す。図１３（Ａ）はバッテリパック１０３を下方から見上げたとき、図１３（Ｂ）はバッテリパック１０３を裏返した姿勢の斜視図を示す。図１３（Ａ），（Ｂ）に示すように、バッテリパック１０３の形状は、略長方形の板状体であり、方向性を決めるために一部に切り欠き部１７３を有する。また、矢印Ｙ１側の側面には、ノートパソコン１０１、拡張ステーション１０２、コンパクトベイ１０４と電気的に接続するための端子１７４が設けられている。また、矢印Ｙ１、矢印Ｙ２側の側面には、爪部１７５，１７６及び爪部１７７，１７８，１７９が設けられている。爪部１７５〜１７９は、ノートパソコン１０１、拡張ステーション１０２、コンパクトベイ１０４のバッテリパックスロット１４１，１４５に係合して、バッテリパック１０３をバッテリパックスロット１４１，１４５に機械的に結合させる。
【００５０】
図１４は本発明の電子機器システムの一実施例のバッテリパックスロットの斜視図を示す。ノートパソコン１０１、拡張ステーション１０２、コンパクトベイ１０４のバッテリパックスロット１４１，１４５に形状は、同一の構成とされており、図１３に示すバッテリパック１０３を共通に装着できる構成とされている。
【００５１】
バッテリパックスロット１４１，１４５は、凹部１８０、コンタクト部１８１、係合部１８２、内蔵バッテリロック１３９，１４６から構成される。凹部１８０は、ノートパソコン１０１、拡張ステーション１０２、コンパクトベイ１０４の上面又は底面に形成され、その形状は略バッテリパック１０３の形状と同様な形状とされている。
【００５２】
コンタクト部１８１は、バッテリパック１０３を凹部１８０に装着した時に、バッテリパック１０３の端子１７４と接続されるに設けられている。係合部１８２は、バッテリパック１０３を凹部１８０に装着した時に、バッテリパック１０３の側面に形成された爪部１７５〜１７９に係合するように形成されている。係合部１８２は、内蔵バッテリロック１３９，１４６を矢印Ｘ１，Ｘ２方向に操作することにより駆動され、バッテリパック１０３の側面に形成された爪部１７５〜１７９との係合が解除され、バッテリパック１０３をバッテリパックスロット１４１，１４５から離脱可能とされる。
【００５３】
図１５は本発明の電子機器システムの一実施例のバッテリパック挿着脱動作を説明するための図を示す。バッテリパック１０３をバッテリパックスロット１４１，１４５に挿入するには、バッテリパック１０３の切欠部１７３が形成された側端部を凹部１８０の対応する側面に一致させるように矢印１８３方向から挿入する。
【００５４】
次にバッテリパック１０３の切欠部１７３が形成された側端部を凹部１８０の対応する側面に一致させたまま、矢印１８４方向に回動させ、バッテリパック１０３を凹部１８０に押し込む。ここで、ノートパソコン１０１を拡張ステーション１０２に装着する動作について説明する。
【００５５】
図１６は本発明の電子機器システムの一実施例のコンパクトベイユニット使用時の斜視図を示す。コンパクトベイユニット１０４は、ノートパソコン１０１の底面に接続されて使用される。また、コンパクトベイユニット１０４には拡張ベイ２０１にフロッピー（登録商標）ディスクドライブユニット２１５やＣＤ−ＲＯＭドライブユニット２１８が装着され、ノートパソコン１０１の機能を拡張する。
【００５６】
このとき、コンパクトベイユニット１０４及びフロッピー（登録商標）ディスクドライブユニット２１５やＣＤ−ＲＯＭドライブユニット２１８などのベイオプション２２１は、ノートパソコン１０１を動作させた状態で装着脱可能な構成とされている。ベイオプション２２１が拡張ベイ２０１に装着されたコンパクトベイユニット１０４をノートパソコン１０１に装着、又は、ノートパソコン１０１に装着された拡張ベイ２０１が空のコンパクトベイユニット１０４にベイオプション２２１を装着すると、コンパクトベイユニット１０４からノートパソコン１０１に接続要求が伝達され、ノートパソコン１０１は接続されたベイオプション２２１を自動認識する。
【００５７】
また、ベイオプション２２１が拡張ベイ２０１に装着されたコンパクトベイユニット１０４をノートパソコン１０１から離脱、又は、ベイオプション２２１が拡張ベイ２０１に装着されたコンパクトベイユニット１０４からベイオプション２２１を離脱する場合には、コンパクトベイユニット１０４の側面に設けられたアンドッキング要求ボタン２１３を操作することにより、ノートパソコン１０１にアンドッキングを要求し、ノートパソコン１０１で接続されていたベイオプション２２１の認識を解消した後コンパクトベイユニット１０４をノートパソコン１０１から取り外す、あるいは、コンパクトベイユニット１０４からベイオプション２２１を取り外す。このとき、コンパクトベイユニット１０４の側面に設けられたアンドッキングＬＥＤ２１４が点灯したときに、コンパクトベイユニット１０４をノートパソコン１０１から取り外す、あるいは、コンパクトベイユニット１０４からベイオプション２２１を取り外すことができるようになる。
【００５８】
図１７は本発明の電子機器システムの一実施例のコンパクトベイユニットの装着脱を行う部分のブロック図を示す。ノートパソコン１０１のコンパクトベイユニット１０４を接続するコネクタ１３７は、ＰＣＩバス２２２、信号バッファ２２３を介してＣＰＵ２２４に接続されるとともに、各種制御信号を制御回路２２５に供給する構成とされている。
【００５９】
制御回路２２５は、拡張ステーション１０２、コンパクトベイユニット１０４の接続、取り外し時に各種制御を行う。コンパクトベイユニット１０４のノートパソコン１０１との接続を行うコネクタ２０３は、ＰＣＩバス２２６を介してベイオプション２２１を接続するためのコネクタ２１６に接続されるとともに、ノートパソコン１０１との接続、切断制御を行う制御回路２２７に接続される。
【００６０】
制御回路２２７には、ノートパソコン１０１からコンパクトベイユニット１０４又はベイオプション２２１を取り外すための指示を行うアンドッキング要求スイッチ２１３及びアンドッキングＬＥＤ２１４が接続される。ここで、制御回路２２７の動作について説明する。図１８は本発明の電子機器システムの一実施例のノートパソコンとコンパクトベイユニットとの接続時のコンパクトベイユニットの制御回路の動作フローチャートを示す。
【００６１】
制御回路２２７は、ノートパソコン１０１のコネクタ１３７とコンパクトベイユニット１０４のコネクタ２０３とが接続され、かつ、コンパクトベイユニット１０４の拡張ベイ２０１にベイオプション２２１が接続されると、ノートパソコン１０１から電源が供給されることによってパワーオンリセットがかかる（ステップＳ１−１）。制御回路２２７は、ステップＳ１−１でパワーオンリセットがかかると、コネクタ１３７，２０３を介してノートパソコン１０１の制御回路２２５に接続要求を送出する（ステップＳ１−２）。
【００６２】
ステップＳ１−２で接続要求を送出すると、制御回路２２７の処理は終了する。次に、ノートパソコン１０１とコンパクトベイユニット１０４との接続時のノートパソコン１０１の制御回路２２５の動作を説明する。図１９は本発明の電子機器システムの一実施例のノートパソコンとコンパクトベイユニットとの接続時のノートパソコンの制御回路の動作フローチャートを示す。
【００６３】
ノートパソコン１０１の制御回路２２５は、コンパクトベイユニット１０４の制御回路２２７から接続要求を受信すると（ステップＳ２−１）、信号バッファ２２３を制御して、ノートパソコン１０１のＰＣＩバス２２２ａをコンパクトベイユニット１０４のＰＣＩバス２２６に接続を介してベイオプション２２１のドライブ２２８に接続する（ステップＳ２−２）。
【００６４】
ステップＳ２−２で、ノートパソコン１０１のＣＰＵ２２４とドライブ２２８とが接続されると、ＣＰＵ２２４にドライブ認識を要求する（ステップＳ２−３）。ステップＳ２−３でＣＰＵ２２４がコンパクトベイユニット１０４を介して接続されたベイオプション２２１を認識すると、ノートパソコン１０１はベイオプション２２１をノートパソコン１０１のドライブとして認識し、動作を行う。
【００６５】
次に、ノートパソコンとコンパクトベイユニットとの切り離し時のコンパクトベイユニット１０４の制御回路２２７の動作を説明する。図２０は本発明の電子機器システムの一実施例のノートパソコンとコンパクトベイユニットとの切り離し時のコンパクトベイユニットの制御回路の動作フローチャートを示す。
【００６６】
ノートパソコン１０１からベイオプション２２１が装着されたコンパクトベイユニット１０４を切り離す場合、又は、ノートパソコン１０１に装着されたコンパクトベイユニット１０４からベイオプション２２１を切り離す場合、使用者は、まず、アンドッキング要求スイッチ２１３を操作する。制御回路２２７は、アンドッキング要求スイッチ２１３が操作されると、これを認識する（ステップＳ３−１）。
【００６７】
制御回路２２７は、ステップＳ３−１でアンドッキング要求スイッチ２１３の操作を検出すると、ノートパソコン１０１の制御回路２２５にアンドッキング要求信号を送出する（ステップＳ３−２）。制御回路２２７は、ステップＳ３−２でノートパソコン１０１の制御回路２２５にアンドッキング要求信号を送出すると、ノートパソコン１０１の制御回路２２５からの切り離し許可の供給を待機する（ステップＳ３−３）。
【００６８】
ステップＳ３−３で、ノートパソコン１０１の制御回路２２５から切り離し許可が供給されると、アンドッキングＬＥＤ２１４を点灯させる（ステップＳ３−４）。ステップＳ３−４で、アンドッキングＬＥＤ２１４を点灯させることにより、使用者はノートパソコン１０１からベイオプション２２１が装着されたコンパクトベイユニット１０４の切り離し、又は、ノートパソコン１０１に装着されたコンパクトベイユニット１０４からベイオプション２２１を切り離してもよいことを認識できる。
【００６９】
制御回路２２７は、ステップＳ３−４でアンドッキングＬＥＤ２１４を点灯すると、次にノートパソコン１０１からベイオプション２２１が装着されたコンパクトベイユニット１０４を切り離し、又は、ノートパソコン１０１に装着されたコンパクトベイユニット１０４からベイオプション２２１を切り離しを待機する（ステップＳ３−５）。
【００７０】
ステップＳ３−５のノートパソコン１０１からベイオプション２２１が装着されたコンパクトベイユニット１０４を切り離し、又は、ノートパソコン１０１に装着されたコンパクトベイユニット１０４からベイオプション２２１を切り離しは、電源の供給を検出することにより検出可能である。電源はノートパソコン１０１からコンパクトベイユニット１０４を通過してベイオプション２２１に供給され、再びコンパクトベイユニット１０４の制御回路２２７に供給される。このため、ベイオプション２２１がコンパクトベイ１０４から切り離されると、制御回路２１６に電源が供給されなくなる。また、コンパクトベイ１０４をノートパソコン１０１から切り離しても、同様に、コンパクトベイ１０４の制御回路２２７に電源が供給されなくなる。
【００７１】
なお、コンパクトベイユニット１０４に搭載された電源は一旦ノートパソコン１０１に供給された後、同様にコンパクトベイ１０４を介してベイオプション２２１に供給され、ベイオプション２２１からコンパクトベイ１０４の制御回路２２７に供給される。制御回路２２７は、ステップＳ３−５で上記のようにしてノートパソコン１０１からベイオプション２２１が装着されたコンパクトベイユニット１０４を切り離し、又は、ノートパソコン１０１に装着されたコンパクトベイユニット１０４からベイオプション２２１を切り離しを検出すると、アンドッキングＬＥＤ２１４を消灯して（ステップＳ３−６）、処理を終了する。
【００７２】
次に、ノートパソコンとコンパクトベイユニットとの切り離し時のノートパソコン１０１の制御回路２２５の動作を説明する。図２１は本発明の電子機器システムの一実施例のノートパソコンとコンパクトベイユニットとの切り離し時のノートパソコンの制御回路の動作フローチャートを示す。
【００７３】
ノートパソコン１０１の制御回路２２５は、コンパクトベイユニット１０４の制御回路２２７からアンドッキング要求信号を受信すると（ステップＳ４−１）、ＣＰＵ２２４にアンドッキング処理を要求する（ステップＳ４−２）。ステップＳ４−２で、ＣＰＵ２２４でアンドッキング処理が行われ、アンドッキング処理が終了すると（ステップＳ４−３）、ノートパソコン１０１からベイオプション２２１が装着されたコンパクトベイユニット１０４を切り離し、又は、ノートパソコン１０１に装着されたコンパクトベイユニット１０４からベイオプション２２１を切り離しを許可する切り離し許可をコンパクトベイユニット１０４の制御回路２２７に送出する（ステップＳ４−４）。
【００７４】
また、制御回路２２５は、信号バッファ２２３を制御してノートパソコン１０１のＰＣＩバス２２２ａとコンパクトベイユニット１０４のＰＣＩバス２２６とを切断する（ステップＳ４−５）。上記動作によれば、ノートパソコン１０１をサスペンド又は電源をオフにすることなく、接続及び切り離しを行うことができ、拡張ステーション１０２とコンパクトベイユニット１０４との交換、また、このとき、コンパクトベイユニット１０４のベイオプション２２１の交換を容易に行うことができる。さらに、このとき、コンパクトベイユニット１０４の装着脱及びベイオプション２２１の装着脱を共通の操作で行うことができ、操作性が良い。
【００７５】
次に、本実施例の電子機器システム１００のドッキングメカニズムについて詳細に説明する。図２２は本発明の電子機器システムの一実施例のドッキング状態遷移図を示す。
本実施例の電子機器システム１００のドッキング状態は、リムーブ状態Ｓ１、アタッチ状態Ｓ２、ドッキングプロセス状態Ｓ３、ドッキング状態Ｓ４、アンドッキングプロセス状態Ｓ５、アイソレーション状態Ｓ６、アンドッキング状態Ｓ７、サスペンド状態Ｓ８から構成される。
【００７６】
リムーブ状態Ｓ１は、ノートパソコン１０１と拡張ステーション１０２が分離した状態、またはノートパソコン１０１とコンパクトベイユニット１０４とが分離、あるいは、ノートパソコン１０１にコンパクトベイユニット１０４が接続された状態でコンパクトベイユニット１０４からベイオプション２１１が分離した状態を示す。
【００７７】
アタッチ状態Ｓ２は、ノートパソコン１０１が拡張ステーション１０２に接続された後、あるいはノートパソコン１０１に接続されたコンパクトベイユニット１０４にベイオプション２１１が接続された後、ノートパソコン１０１と拡張ステーション１０２との間、あるいはノートパソコン１０１とコンパクトベイユニット１０４との間でＰＣＩバス接続処理を開始するまでの状態である。
【００７８】
ドッキングプロセス状態Ｓ３は、ノートパソコン１０１と拡張ステーション１０２との間、あるいはノートパソコン１０１とコンパクトベイユニット１０４との間でのＰＣＩバス接続処理中の状態である。ドッキングプロセス状態Ｓ３でＰＣＩバスの接続処理が完了した時点で、ドッキング状態Ｓ４に遷移する。ＰＣＩバス接続処理の完了は、ノートパソコン１０１のソフトウェアからのＰＣＩバス接続完了を知らせるイベントＤＯＣＫＳＭＩ＃により通知される。
【００７９】
ドッキング状態Ｓ４は、ノートパソコン１０１と拡張ステーション１０２とのドッキング、あるいはノートパソコン１０１に接続されたコンパクトベイユニット１０４へのベイオプション２１１のドッキングが完了、すなわち、ＰＣＩバスの接続及びＯＳへのドッキング通知が完了した状態を示す。ドッキング状態Ｓ４に遷移すると、ＯＳは再びコンフィギュレーションを開始する。ＯＳのコンフィギュレーションにより新たに接続されたデバイスがＯＳに認識され、使用が可能となる。
【００８０】
アンドッキングプロセス状態３０５は、拡張ステーション１０２またはコンパクトベイユニット１０４に設けられたハードウェアボタンあるアンドッキングリクエストボタンの押下またはノートパソコン１０１のソフトウェアボタンであるアンドッキングアイコンボタンの押下によりアンドッキング処理が開始された状態である。アンドッキング処理は、上記アンドッキングボタンの操作によるアンドッキングを要求するイベントＵＮＤＫＲＥＱ＃の発生により開始される。アンドッキング処理では、まず、ＯＳカーネルにより認識された各デバイスドライバに中断処理を要求を行い、中断処理要求が許可された時点で、アンドッキングのためのＰＣＩバス分離作業要求をＢＩＯＳないしドライバが行う。アンドッキング処理が完了すると、次にアイソレーション状態Ｓ６に遷移する。
【００８１】
アイソレーション状態Ｓ６は、ノートパソコン１０１と拡張ステーション１０２との間のＰＣＩバス、またはノートパソコン１０１に接続されたコンパクトベイ１０４とベイオプション２１１との間のＰＣＩバスとの分離動作を実行している最中の状態である。ＰＣＩバスの分離が完了した時点で、アンドッキングを知らせるイベントＵＮＤＫＳＭＩ＃が発生し、ノートパソコン１０１のソフトウェアに通知される。この時点で、アンドッキング状態３０７に遷移する。
【００８２】
アンドッキング状態Ｓ７は、ノートパソコン１０１と拡張ステーション１０２との間、あるいはノートパソコン１０１に接続されたコンパクトベイユニット１０４とベイオプション２１１との間のＰＣＩバスの分離は完了しているが、ノートパソコン１０１と拡張ステーション１０２、あるいはノートパソコン１０１に接続されたコンパクトベイユニット１０４とベイオプション２１１とは、接続されている状態である。アンドッキング状態Ｓ７では、ノートパソコン１０１に接続された拡張ステーション１０２、またはコンパクトベイユニット１０４の全てのリソースが開放された状態であり、ノートパソコン１０１からは拡張ステーション１０２、またはコンパクトベイユニット１０４の一切のデバイスは認識されていない状態である。なお、アンドッキング状態Ｓ７では、アンドッキングＬＥＤが点灯する。
【００８３】
アンドッキング状態Ｓ７で、拡張ステーション１０２、またはコンパクトベイユニット１０４とノートパソコン１０１から分離、あるいはコンパクトベイユニット１０４に装着されたベイオプション２１１をコンパクトベイユニット２０４から分離、あるいはサスペンド／リジューム操作を含む電源オン・オフ操作を行うことで、次の状態に遷移する。
【００８４】
拡張ステーション１０２、またはコンパクトベイユニット１０４とノートパソコン１０１から分離、あるいはコンパクトベイユニット１０４に装着されたベイオプション２１１をコンパクトベイユニット１０４から分離すると、リムーブ状態３０１に遷移し、サスペンドコマンドによりサスペンド状態Ｓ８に遷移する。サスペンド状態Ｓ８は、ノートパソコン１０１のサスペンド状態である。サスペンド状態Ｓ８では、ノートパソコン１０１に接続された拡張ステーション１０２またはコンパクトベイユニット１０４の内部のほとんどは電源がオフの状態となる。ただし、ドッキング／アンドッキング状態を監視するのに必要な部分には電源は供給される。
【００８５】
なお、ドッキング状態３０４からサスペンド状態Ｓ８に遷移した場合は、ノートパソコン１０１と拡張ステーション１０２、コンパクトベイユニット１０４、ベイオプション２１１との間のＰＣＩバスはハードウェア的に自動的に分離された状態となる。このため、サスペンド状態Ｓ８からドッキング状態Ｓ４に遷移するにはノートパソコン１０１と拡張ステーション１０２、コンパクトベイユニット１０４、ベイオプション２１１との間のＰＣＩバスを接続するドッキングプロセス状態Ｓ３に遷移する必要がある。
【００８６】
また、アンドッキング状態Ｓ７で、サスペンド／レジューム操作を行い、サスペンド状態Ｓ８に遷移した場合は、レジューム時にアタッチ状態Ｓ２に遷移する。このとき、ドッキングを知らせるイベントＤＫＳＩＴＳＭ＃が発生する。上記各種状態は４種類のイベント（割り込み要求信号）ＤＫＳＩＴＳＭＩ＃、ＵＮＤＫＲＥＱＳＭＩ＃、ＤＯＣＫＳＭＩ＃、ＵＮＤＯＣＫＳＭＩ＃によって遷移する。
【００８７】
なお、イベントＤＫＳＩＴＳＭＩ＃は、拡張ステーション１０２にノートパソコン１０１が装着、またはノートパソコン１０１に接続されたコンパクトベイユニット１０４にベイオプション２１１が装着されたときに、拡張ステーション１０２にノートパソコン１０１が装着、またはノートパソコン１０１に接続されたコンパクトベイユニット１０４にベイオプション２１１が装着をノートパソコン１０１に知らせるための信号である。
【００８８】
また、イベントＵＮＤＫＲＥＱＳＭＩ＃は、アンドッキングリクエストボタンが押下されたことを知らせる信号である。さらに、イベントＤＯＣＫＳＭＩ＃は、拡張ステーション１０２またはコンパクトベイユニット１０４のベイオプション２１１のＰＣＩバスがノートパソコン１０１のＰＣＩバスに接続されたことを知らせる信号である。
【００８９】
また、イベントＵＮＤＯＣＫＳＭＩ＃は、拡張ステーション１０２またはコンパクトベイユニット１０４のベイオプション２１１のＰＣＩバスとノートパソコン１０１のＰＣＩバスとが分離されたことを知らせる信号である。上記の４種類のイベントＤＫＳＩＴＳＭＩ＃、ＵＮＤＫＲＥＱＳＭＩ＃、ＤＯＣＫＳＭＩ＃、ＵＮＤＯＣＫＳＭＩ＃は、ノートパソコン１０１の接続制御部に供給される。
【００９０】
図２３は本発明の電子機器システムの一実施例の制御回路のブロック構成図を示す。ノートパソコン１０１の接続回路３０１（２２５）は、接続コントローラ３０２、ドッキングシーケンサ３０３、通知回路３０４から構成される。接続コントローラ３０２は、上記の４種類のイベントＤＫＳＩＴＳＭＩ＃、ＵＮＤＫＲＥＱＳＭＩ＃、ＤＯＣＫＳＭＩ＃、ＵＮＤＯＣＫＳＭＩ＃を１０ｍｓ間隔でポーリングしており、イベントＤＫＳＩＴＳＭＩ＃、ＵＮＤＫＲＥＱＳＭＩ＃、ＤＯＣＫＳＭＩ＃、ＵＮＤＯＣＫＳＭＩ＃に変化が生じた時点で通知回路３０４に割り込みを上げる。
【００９１】
ドッキングシーケンサ３０３は、ＣＰＵ３０５からの指示に応じて起動し、図２２に示すような状態遷移が行われるようにドッキング通知用イベントＤＯＣＫＳＭＩ＃及びアンドッキング通知用イベントＵＮＤＯＣＫＳＭＩ＃を生成する。通知回路３０４は、接続コントローラ３０２から上げられた割り込みに応じてＣＰＵ３０５で処理中のソフトウェアに割り込みを供給するＣＰＵ３０５は、通知回路３０４から上げられた割り込みの原因を認識するために、接続コントローラ３０２に割り込み原因を通知するコマンドであるQuery Command を発行する。接続コントローラ３０２は、ソフトウェアからQuery Command を受信すると、供給されたイベントに応じた戻り値を通知回路３０４を介してソフトウェアに返す。
【００９２】
通知回路３０４は、イベントに対応する処理が終了した時点で、イベントステータスをクリアするステータスクリア信号ＣＬＲＦＬＧ＃を拡張ステーション１０２またはコンパクトベイユニット１０４の制御回路２２７に供給する。コンパクトベイユニット１０４の制御回路２２７は、ノートパソコン１０１に供給する２種類のイベントのラッチを解除し、次の割り込みの受付を可能とする。
【００９３】
次に、ドッキング通知用イベントＤＫＳＩＴＳＭＩ＃の発生メカニズムについて説明する。ドッキング通知用イベントＤＫＳＩＴＳＭＩ＃は、拡張ステーション１０２の場合、ノートパソコン１０１との接続を確認する信号ＣＤ１＃及びＣＤ２＃が共にアサートされ、安定した時点でローレベルとなる。この動作は、ノートパソコン１０１がオフ状態、スリープ状態あるいはオン状態のいずれの状態であっても行われる。
【００９４】
ドッキング通知用イベントＤＫＳＩＴＳＭＩ＃をローレベル信号としてローレベルを検出することにより、ノートパソコン１０１がオンした時点で、ドッキング通知用イベントＤＫＳＩＴＳＭＩ＃を割り込み要求として取り込むことができる。また、コンパクトベイユニット１０４の場合、ドッキング通知用イベントＤＫＳＩＴＳＭＩ＃はノートパソコン１０１との接続を確認する信号ＣＤ１＃及びＣＤ２＃の他、ベイオプション２１１の接続を確認するＢＡＹＣＤ＃１及びＢＡＹＣＤ＃２がアサートされ、安定した時点でローレベルとなる。
【００９５】
ドッキング通知用イベントＤＫＳＩＴＳＭＩ＃は、通常ハイレベルであるので、ノートパソコン１０１がオフ状態あるいはスリープ状態で割り込み検出器の電源がオフとなっているときにはラッチアップの問題が発生する可能性がある。よって、ダイオードによりブロッキングが行われ、さらに、ノートパソコン１０１側の対応として割り込み検出器の電源と同一種の電源でプルアップ処理している。
【００９６】
ソフトウェアは割り込み検出後、拡張ステーション１０２またはコンパクトベイユニット１０４に信号ＣＬＲＦＬＧ＃を供給することにより、ドッキング通知用イベントＤＫＳＩＴＳＭＩ＃をデアサート状態に復帰させる。図２４は本発明の電子機器システムの一実施例のドッキング通知イベント発生回路のブロック構成図を示す。
【００９７】
ドッキング通知イベント発生回路４００は、コンパクトベイユニット１０４の制御回路２２７に設けられた制御回路４０１とノートパソコン１０１の制御回路２２５に設けられた制御回路４０２とから構成される。制御回路４０１は、第１の論理回路４１１、第２の論理回路４１２、フリップフロップ４１３、ダイオード４１４から構成される。
【００９８】
第１の論理回路４１１には、ＬＥＤがオンの時にローレベルとなるＬＥＤＯＮ＃、電源供給時にハイレベルとなる電源供給信号ＰＯＷＥＲＧＯＯＤが内部回路から供給されるとともに、ノートパソコン１０１から信号ＳＵＳＴＡＴ＃が供給される。第１の論理回路４１１は、｛（ＬＥＤＯＮ＃＋ＳＵＳＴＡＴ＃）・ＰＯＷＥＲＧＯＯＤ｝の論理演算を行い、プリセット信号ＰＲＩ＃を生成する。第１の論理回路４１１で生成されたプリセット信号ＰＲＩ＃はフリップフロップ４１３に供給される。
【００９９】
第２の論理回路４１２には、ＳＵＳＴＡＴ＃及びＣＬＲＦＬＧ＃が供給される。第２の論理回路４１２は、（ＳＵＳＴＡＴ＃＋ＣＬＲＦＬＧ＃）の論理演算を行い、フリップフロップ４１３のクロック端子に供給する。また、データ端子は常にハイレベルとされる。フリップフロップ４１３の反転出力Ｑ＃がドッキング通知用イベントＤＫＳＩＴＳＭＩ＃として出力される。ドッキング通知用イベントＤＫＳＩＴＳＭＩ＃は、ダイオード４１４を介してノートパソコン１０１に供給される。ダイオード４１４は、ノートパソコン１０１がオフ状態あるいはスリープ状態となったときにブロッキングを行い、フリップフロップ４１３のラッチアップを防止する。
【０１００】
また、制御回路４０２は、割り込み検出回路４２１、抵抗４２２、スイッチ４２３から構成される。割り込み検出回路４２１は、拡張ステーション１０２またはコンパクトベイユニット１０４から供給されたドッキング通知用イベントＤＫＳＩＴＳＭＩ＃がローレベルであるときに、割り込みであることを検出する。抵抗４２２は、割り込み検出回路４２１の電源とドッキング通知用イベントＤＫＳＩＴＳＭＩ＃との間に接続され、ドッキング通知用イベントＤＫＳＩＴＳＭＩ＃をプルアップし、ダイオード４１４とともにフリップフロップ４１３のラッチアップを防止している。
【０１０１】
また、スイッチ４２３は、ＰＣＩバスの接続に応じてオン・オフし、ドッキング通知用イベントＤＫＳＩＴＳＭＩ＃の供給を制御する。上記図２４に示す回路では、拡張ステーション１０２またはコンパクトベイユニット１０４に電源が投入され、拡張ステーション１０２またはコンパクトベイユニット１０４のパイロット電源、すなわち、ノートパソコン１０１が接続された状態で、電池１０３あるいはＡＣアダプタが接続されている間、常にオンとなる電源が安定すると、ドッキング通知用イベントＤＫＳＩＴＳＭＩ＃が発生する。
【０１０２】
なお、このとき、拡張ステーション１０２またはコンパクトベイユニット１０４は、ノートパソコン１０１が接続されると、電源がオンし、パイロット電源のパワーオンリセット信号がアサートされ、これをトリガとしてドッキング通知用イベントＤＫＳＩＴＳＭＩ＃が発生する。よって、拡張ステーション１０２またはコンパクトベイユニット１０４は、ノートパソコン１０１が接続とドッキング通知用イベントＤＫＳＩＴＳＭＩ＃が発生を同期させることができる。
【０１０３】
また、ドッキング通知用イベントＤＫＳＩＴＳＭＩ＃のステータスがクリアされた後、再び、ドッキング通知用イベントＤＫＳＩＴＳＭＩ＃がアサートされるタイミングは、拡張ステーション１０２またはコンパクトベイユニット１０４が外され、再び、接続された時である。なお、このとき、コンパクトベイユニット１０４にベイオプション２１１が接続されていない場合は除く。また、コンパクトベイユニット１０４からベイオプション２１１が外され、再び、接続されたとき、さらに、ベイオプション２１１の接続されていないコンパクトベイユニット１０４にベイオプション２１１を接続したとき、また、電池が空になった後再び電源が投入されたとき、さらに、アンドッキング状態Ｓ７でサスペンド／レジューム操作を行った場合にも、再び、ドッキング通知用イベントＤＫＳＩＴＳＭＩ＃がアサートされる。
【０１０４】
次に、拡張ステーション１０２、コンパクトベイユニット１０４のハードスイッチ、またはノートパソコン１０１のソフトスイッチによりアンドッキング要求ボタンが操作されたときの動作について説明する。拡張ステーション１０２、コンパクトベイユニット１０４のハードスイッチ、またはノートパソコン１０１のソフトスイッチによりアンドッキング要求ボタンを操作すると、アンドッキング要求ボタンがアンドッキング要求信号ＵＮＤＫＲＥＱ＃が発生する。アンドッキング要求信号ＵＮＤＫＲＥＱ＃は、アンドッキング処理が要求されたことを通知するための割り込み要求信号である。
【０１０５】
アンドッキング要求信号ＵＮＤＫＲＥＱ＃は、ローレベルトリガーな信号であり、ノートパソコン１０１が拡張ステーション１０２に接続されている状態で、かつ、ノートパソコン１０１がオン状態であるときにローレベルとなる。但し、既にアンドッキング処理が終了しており、拡張ステーション１０２とノートパソコン１０４との間のバススイッチが開放されている状態、すなわち、アンドッキングＬＥＤが点灯されている状態では、アンドッキング要求ボタンの押下は無視される。
【０１０６】
図２５は本発明の電子機器システムの一実施例のアンドッキング要求信号生成回路のブロック図を示す。アンドッキング要求信号生成回路５００は、信号生成回路５０１及び検出回路５０２から構成される。信号生成回路５０１は、パワーオンリセット回路５１１、論理演算回路５１２、アンドッキング要求ボタン５１３、ＮＯＴ回路５１４、ＡＮＤ回路５１５、フリップフロップ５１６、ダイオード
５１７から構成される。
【０１０７】
アンドッキング要求ボタン５１３は、拡張ステーション１０２又はコンパクトベイユニット１０４のアンドッキング時に操作者により操作される。アンドッキング要求ボタン５１３の出力は、ＮＯＴ回路５１４を介してＡＮＤ回路５１５に供給される。ＡＮＤ回路５１５には、アンドッキング要求ボタン５１３の出力及びアンドキング状態を示すアンドッキングＬＥＤの点灯状態に応じたＬＥＤ状態信号ＬＥＤＯＮ＃が供給される。ＬＥＤ状態信号ＬＥＤＯＮ＃は、アンドッキングＬＥＤが点灯、すなわち、拡張ステーション１０２またはコンパクトベイユニット１０４とノートパソコン１０１とのバスとを接続するスイッチが開放されている状態では、ローレベルとなり、拡張ステーション１０２またはコンパクトベイユニット１０４とノートパソコン１０１とのバスとを接続するスイッチが閉成されている状態では、ハイレベルとなる。
【０１０８】
アンド回路５１５は、アンドッキング要求ボタン５１３の出力とＬＥＤ状態信号ＬＥＤＯＮ＃とのアンド論理を取る。アンド回路５１５の出力信号は、フリップフロップ５１６のクロック端子にクロックとして供給される。フリップフロップ５１６のデータ端子はハイレベルに保持され、クロックに応じてデータをハイレベルを保持し、出力する。
【０１０９】
フリップフロップ５１６は反転出力を出力する。フリップフロップ５１６の出力信号は、ダイオード５１７を介してノートパソコン１０１の検出回路５０２に供給される。ダイオード５１７は、ノートパソコン１０１側の電源切断時などに生じるフリップフロップ５１６のラッチアップを防止する。検出回路５０２は、割り込み検出回路５２１、抵抗５２２、スイッチ５２３から構成された。
【０１１０】
割り込み検出回路５２１は、電源Ｖccにより駆動され、アンドッキング要求信号ＵＮＤＫＲＥＱ＃のローレベル状態を検出し、割り込みを発生する。抵抗５２２は、電源Ｖccとアンドッキング要求信号ＵＮＤＫＲＥＱ＃との間に接続され、割り込み検出回路５２１に応じた電源電圧に応じてアンドッキング要求信号ＵＮＤＫＲＥＱ＃をプルアップし、フリップフロップ５１６のラッチアップを防止する。
【０１１１】
スイッチ５２３は、ノートパソコン１０１と拡張ステーション１０２又はコンパクトベイユニット１０４とのバス接続時には、オンし、バス切断時にはオフする。次に、バス接続を制御するバス接続制御信号ＱＰＣＩＥＮ＃の発生メカニズムについて説明する。
【０１１２】
図２６は本発明の電子機器システムの一実施例のバス接続制御信号の発生メカニズムを説明するための図、図２７は本発明の電子機器システムの一実施例のバス接続制御信号による動作を説明するための図を示す。図２７（Ａ）はバス接続制御信号ＱＰＣＩＥＮ＃、図２７（Ｂ）はＰＣＩバスの接続状態を示す。バス接続制御信号ＱＰＣＩＥＮ＃は、ドッキングシーケンサ７０１により発生される。ドッキングシーケンサ７０１で発生されたバス接続制御信号ＱＰＣＩＥＮ＃は、スイッチ７０２及び割り込み検出回路７０６に供給される。
【０１１３】
スイッチ７０２は、ノートパソコン１０１側のコネクタ７０４に接続されるＰＣＩバス７０３の間に接続される。スイッチ７０２は、ドッキングシーケンサ７０１から要求されるバス接続制御信号ＱＰＣＩＥＮ＃により制御される。スイッチ７０２は、バス接続制御信号ＱＰＣＩＥＮ＃がハイレベルのときには、オンし、ノートパソコン１０１側のＰＣＩバス７０３をコネクタ７０４を介して拡張ステーション１０２又はコンパクトベイユニット１０４のＰＣＩバス７０５に接続される。スイッチ７０２は、バス接続制御信号ＱＰＣＩＥＮ＃がローレベルのときには、オフし、ノートパソコン１０１側のＰＣＩバス７０３と拡張ステーション１０２又はコンパクトベイユニット１０４のＰＣＩバス７０５との接続を切断する。
【０１１４】
また、ドッキングシーケンサ７０１で発生されたバス接続制御信号ＱＰＣＩＥＮ＃は、割り込み検出回路７０６に供給される。割り込み検出回路７０６は、バス接続制御信号ＱＰＣＩＥＮ＃のローレベルからハイレベルへの立ち上がりを検出して、ドッキングを行う割り込みを行う。さらに、割り込み検出回路７０６は、バス接続制御信号ＱＰＣＩＥＮ＃のハイレベルからローレベルへの立ち下がりを検出して、アンドッキングを行う割り込みを行う。
【０１１５】
次に、アンドッキングＬＥＤの制御について説明する。アンドッキングＬＥＤは、拡張ステーション１０２又はコンパクトベイユニット１０４のノートパソコン１０１からの切り離しを許可するタイミングを示す。アンドッキングＬＥＤは、拡張ステーション１０２又はコンパクトベイユニット１０４のＰＣＩバスがノートパソコン１０１のＰＣＩバスから切り離された時点で、点灯する。また、アンドッキングＬＥＤは、拡張ステーション１０２又はコンパクトベイユニット１０４がノートパソコン１０１から物理的に切り離された時点、又は、サスペンド／レジューム操作による再ドッキング処理実行後に消灯される。
【０１１６】
図２８は本発明の一実施例の電子機器システムの一実施例のアンドッキングＬＥＤ制御回路のブロック構成図を示す。アンドッキングＬＥＤ制御回路８００は、拡張ステーション１０２又はコンパクトベイユニット１０４に設けられる。アンドッキングＬＥＤ制御回路８００は、フリップフロップ８０１、８０２、アンド回路８０３、パワーオンリセット回路８０４、抵抗８０５，８０６、ＬＥＤ８０７（２１４）、トランジスタ８０８から構成される。
【０１１７】
フリップフロップ８０１には、クロックとしてドッキング通知用イベントＤＫＳＩＴＳＭＩ＃が供給され、ドッキング通知用イベントＤＫＳＩＴＳＭＩ＃に応じた出力信号を出力する。フリップフロップ８０１の出力は、ＡＮＤ回路８０３に供給される。ＡＮＤ回路８０３にはフリップフロップ８０１の他に、パワーオンリセット回路８０４からパワーオンリセット信号が供給される。
【０１１８】
ＡＮＤ回路８０３は、フリップフロップ８０１の出力信号とパワーオンリセット信号とのＡＮＤ論理をとる。ＡＮＤ回路８０３の出力信号は、フリップフロップ８０２のリセット端子に供給される。フリップフロップ８０２にはデータ端子にサスペンド状態を識別するサスペンド状態信号ＳＵＳＴＡＴ＃が供給され、クロック端子には拡張ステーション１０２又はコンパクトベイユニット１０４とノートパソコン１０１とが接続されたことを示すバス接続制御信号ＱＰＣＩＥＮ＃が抵抗８０５によりプルアップされて供給される。フリップフロップ８０２は、バス接続制御信号ＱＰＣＩＥＮ＃に応じてサスペンド状態信号ＳＵＳＴＡＴ＃を保持する。
【０１１９】
フリップフロップ８０２の出力信号は、トランジスタ８０８のベースに供給されるとともに、フリップフロップ８０１のプリセット端子に供給される。トランジスタ８０８はＮＰＮトランジスタから構成され、エミッタがローレベルとされ、コレクタは抵抗８０６、ＬＥＤ８０７を介して電源に接続される。上記回路では、拡張ステーション１０２又はコンパクトベイユニット１０４のＰＣＩバスがノートパソコン１０１のＰＣＩバスから切り離されると、フリップフロップ８０２の出力がハイレベルになるので、トランジスタ８０８がオンして、ＬＥＤ８０７に電流が流れてＬＥＤ８０７が点灯する。
【０１２０】
また、拡張ステーション１０２又はコンパクトベイユニット１０４がノートパソコン１０１から物理的に切り離された時点、又は、サスペンド／レジューム操作による再ドッキング処理実行後には、フリップフロップ８０１の出力がハイレベルになり、フリップフロップ８０２がリセットされ、フリップフロップ８０２の出力がローレベルになり、トランジスタ８０８がオフするので、ＬＥＤ８０７は消灯する。
【０１２１】
以上のように本実施例の機能拡張装置は、電子機器と着脱自在に接続され、該電子機器の機能を拡張する装置であって、前記電子機器の機能を拡張する部品ユニットを着脱可能に収納する収納部を備え、動作中の電子機器が接続された状態で前記部品ユニットを前記収納部と着脱可能な構成としたことを特徴とする。
【０１２２】
また、本実施例の機能拡張装置は、動作中の電子機器と着脱可能な構成とする。さらに、本実施例の機能拡張装置は、前記部品ユニットを前記収納部から離脱させる許可を前記電子機器に要求する手段を備えたことを特徴とする。また、本実施例の機能拡張装置は、前記機能拡張装置を前記電子機器から離脱させる許可を前記電子機器に要求する手段を備えたことを特徴とする。
【０１２３】
さらに、本実施例の機能拡張装置は、前記部品ユニットを前記格納部から離脱、または前記機能拡張装置を前記電子機器から離脱させるための離脱操作手段を備え、前記離脱操作手段が操作されると前記許可を前記電子機器に要求するようにする。また、本実施例の機能拡張装置は、前記部品ユニットを前記格納部から離脱、または前記機能拡張装置を前記電子機器から離脱させる許可を前記電子機器から受けるようにする。
【０１２４】
さらに、本実施例の機能拡張装置は、前記部品ユニットを前記収納部から離脱、または前記機能拡張装置を前記電子機器から離脱させることが可能であることを報知する。また、本実施例の機能拡張装置は、前記電子機器または前記収納部に収納された部品ユニットを駆動するバッテリパックを収容可能なようにする。
【０１２５】
さらに、本発明の電子機器は、本体の機能を拡張する機能拡張装置と着脱自在に接続される電子機器であって、前記電子機器の機能を拡張する部品ユニットを着脱可能に収納する収納部を備えた機能拡張装置が接続された状態で、本体が動作中に前記部品ユニットを前記収納部と着脱可能にする。
【０１２６】
なお、本実施例の機能拡張装置によれば、動作中の電子機器が接続された状態で部品ユニットを収納部と着脱可能な構成することにより、部品ユニットを交換するときに電子機器の動作を停止させることなく、部品ユニットの交換が行え容易に電子機器の機能を拡張できる。また、本実施例の機能拡張装置によれば、動作中の電子機器と着脱可能とすることにより、電子機器の携帯性を向上させることができる。
【０１２７】
さらに、本実施例の機能拡張装置によれば、部品ユニットを収納部から離脱させる許可を電子機器に要求することにより、電子機器で部品ユニットの離脱を認識し、離脱のための処理を実行でき、不用意に電子機器から部品ユニットが離脱されることを防止できる。また、本実施例の機能拡張装置によれば、機能拡張装置を電子機器から離脱させる許可を電子機器に要求することにより、電子機器で機能拡張装置の離脱を認識し、離脱のための処理を実行でき、不用意に電子機器から機能拡張装置が離脱されることを防止できる。
【０１２８】
さらに、本実施例の機能拡張装置によれば、部品ユニットを格納部から離脱、または機能拡張装置を電子機器から離脱させるための離脱操作手段を操作したとき、離脱のための許可を電子機器に要求することにより、電子機器で機能拡張装置又は部品ユニットの離脱を認識し、離脱のための処理を実行でき、不用意に電子機器から機能拡張装置又は部品ユニットが離脱されることを防止できる。
【０１２９】
また、本実施例の機能拡張装置によれば、部品ユニットを格納部から離脱、または機能拡張装置を電子機器から離脱させる許可を電子機器から受けることにより、機能拡張装置で離脱が可能である旨、報知することができ、不用意に電子機器から機能拡張装置又は部品ユニットが離脱されることを防止できる。また、本実施例の機能拡張装置によれば、電子機器または収納部に収納された部品ユニットを駆動するバッテリパックを収容することにより、電子機器に機能拡張装置を接続したときに、長時間、電子機器及び機能拡張装置を駆動できる。
【０１３０】
上述の如く、本発明によれば、動作中の電子機器が接続された状態で部品ユニットを収納部と着脱可能な構成することにより、部品ユニットを交換するときに電子機器の動作を停止させることなく、部品ユニットの交換が行え、容易に電子機器の機能を拡張できる等の特長を有する。
【図面の簡単な説明】
【０１３１】
【図１】従来の電子機器システムの一例の概略構成図である。
【図２】本発明の電子機器システムの一実施例の構成図である。
【図３】本発明の電子機器システムの一実施例の斜視図である。
【図４】本発明の電子機器システムの一実施例のノートパソコンの左右側面図である。
【図５】本発明の電子機器システムの一実施例の背面及び底面の構成図である。
【図６】本発明の電子機器システムの一実施例の拡張ステーションの正面側からの斜視図である。
【図７】本発明の電子機器システムの一実施例の拡張ステーションの背面側からの斜視図である。
【図８】本発明の電子機器システムの一実施例のコンパクトベイユニットの上面斜視図である。
【図９】本発明の電子機器システムの一実施例のコンパクトベイユニットの底面斜視図である。
【図１０】本発明の電子機器システムの一実施例のコンパクトベイユニットの側面図である。
【図１１】本発明の電子機器システムの一実施例のフロッピー（登録商標）ディスクドライブユニットの斜視図である。
【図１２】本発明の電子機器システムの一実施例のＣＤ−ＲＯＭドライブユニットの斜視図である。
【図１３】本発明の電子機器システムの一実施例のバッテリパックの斜視図である。
【図１４】本発明の電子機器システムの一実施例のバッテリパックスロットの斜視図である。
【図１５】本発明の電子機器システムの一実施例のバッテリパックのバッテリスロットへの装着動作を説明するための図である。
【図１６】本発明の電子機器システムの一実施例のコンパクトベイユニット使用時の斜視図である。
【図１７】本発明の電子機器システムの一実施例の要部のブロック図である。
【図１８】本発明の電子機器システムの一実施例のノートパソコンとコンパクトベイユニットとの接続時のコンパクトベイユニットの制御回路の動作フローチャートである。
【図１９】本発明の電子機器システムの一実施例のノートパソコンとコンパクトベイユニットとの接続時のノートパソコンの制御回路の動作フローチャートである。
【図２０】本発明の電子機器システムの一実施例のノートパソコンとコンパクトベイユニットとの切り離し時のコンパクトベイユニットの制御回路の動作フローチャートである。
【図２１】本発明の電子機器システムの一実施例のノートパソコンとコンパクトベイユニットとの切り離し時のノートパソコンの制御回路の動作フローチャートである。
【図２２】本発明の電子機器システムの一実施例のドッキング状態遷移図である。
【図２３】本発明の電子機器システムの一実施例のノートパソコンの制御回路のブロック構成図である。
【図２４】本発明の電子機器システムの一実施例のドッキング通知イベント発生回路のブロック構成図である。
【図２５】本発明の電子機器システムの一実施例のアンドッキング通知イベント発生回路のブロック構成図である。
【図２６】本発明の電子機器システムの一実施例のバス接続制御信号の発生メカニズムを説明するための図である。
【図２７】本発明の電子機器システムの一実施例のバス接続制御信号による動作を説明するための図である。
【図２８】本発明の電子機器システムの一実施例のＬＥＤ制御部のブロック構成図である。
【符号の説明】
【０１３２】
１００ 電子機器システム
１０１ ノートパソコン
１０２ 拡張ステーション
１０３ バッテリパック
１０４ コンパクトベイ
１０５ フロッピー（登録商標）ディスクドライブユニット
１０６ カラーＣＲＴディスプレイ
１０７ プリンタ
１０８ テンキーボード
１０９ マウス
１１０ ＳＣＳＩカード
１１１ ＩＣメモリカード
１１２ ＬＡＮカード
１１３ ノートパソコン本体部
１１４ ディスプレイ部
１１５ キーボード
１１６ ポインタデバイス
１１７ 状態表示部
１３７，１４７ 接続コネクタ
１４１，１４５ バッテリパックスロット
１４９ ＣＤ−ＲＯＭドライブ
１５３ フロッピー（登録商標）ディスクドライブユニット
１５５ ＰＣカードスロット
２０１ 拡張ベイ
２０２ バッテリスロット
２０３ 接続コネクタ
２０４ 爪部
２０５ 開口部
２０６ コンタクト部
２０７ 係合爪部
２０８ 操作レバー
２１０ 解除ボタン
２１１ ロックレバー
２１２ 脚部
２１３ アンドッキング要求スイッチ
２１４ アンドッキングＬＥＤ
２１５ フロッピー（登録商標）ディスクドライブユニット
２１６，２１９ 接続部
２１７ フロッピー（登録商標）ディスク挿入部
２１８ ＣＤ−ＲＯＭドライブユニット
２１９ ＣＤ−ＲＯＭ挿入部
２２１ ベイオプション
２２２，２２６ ＰＣＩバス
２２３ 信号バッファ
２２４ ＣＰＵ
２２５，２２７ 制御回路
２２８ ドライブ
【図１】
2005259171.tif 000003
【図２】
2005259171.tif 000004
【図３】
2005259171.tif 000005
【図４】
2005259171.tif 000006
【図５】
2005259171.tif 000007
【図６】
2005259171.tif 000008
【図７】
2005259171.tif 000009
【図８】
2005259171.tif 000010
【図９】
2005259171.tif 000011
【図１０】
2005259171.tif 000012
【図１１】
2005259171.tif 000013
【図１２】
2005259171.tif 000014
【図１３】
2005259171.tif 000015
【図１４】
2005259171.tif 000016
【図１５】
2005259171.tif 000017
【図１６】
2005259171.tif 000018
【図１７】
2005259171.tif 000019
【図１８】
2005259171.tif 000020
【図１９】
2005259171.tif 000021
【図２０】
2005259171.tif 000022
【図２１】
2005259171.tif 000023
【図２２】
2005259171.tif 000024
【図２３】
2005259171.tif 000025
【図２４】
2005259171.tif 000026
【図２５】
2005259171.tif 000027
【図２６】
2005259171.tif 000028
【図２７】
2005259171.tif 000029
【図２８】
2005259171.tif 000030